(57)【要約】  【課題】必要なときだけ薬剤を揮散させることができる防虫器を提供する。  【解決手段】防虫器１は、筐体２の内部に防虫剤３が内蔵されたものである。また筐体２は、外側部材５と内側部材６及び蓋部材７によって構成されている。内側部材６は、外側部材５に対して入れ子状態となっており、内側部材６の側面部２１は、外側部材５の側面部１１の内側に挿入されている。摘まみ部２２を操作することにより、外側部材５内で、内側部材６を回動することができる。一定の回転姿勢においては、開口１５，２３同士が一致して連通し、筐体２の内外を連通する共通開口５３が形成される。【選択図】  図１
2010022206.tif 000002
【特許請求の範囲】
【請求項１】
筐体と、筐体内部に配される防虫剤保持部材によって構成される防虫器において、前記筐体は、外側部材と内側部材を有し、前記外側部材と内側部材には開口が設けられ、外側部材と内側部材は相対移動可能であり、外側部材と内側部材とが特定の位置関係にあるときは前記開口同士が離れて筐体の内部が密閉され、外側部材と内側部材とが前記と異なる特定の位置関係にあるときは前記開口同士が合致して筐体の内外が連通することを特徴とする防虫器。
【請求項２】
外側部材と内側部材は相対回転可能であり、外側部材と内側部材とが一定の回転姿勢にあるときは前記開口同士が離れて筐体の内部が密閉され、外側部材と内側部材とが一定の回転姿勢にあるときは前記開口同士が合致して筐体の内外が連通することを特徴とする請求項１に記載の防虫器。
【請求項３】
外側部材と内側部材は共に円筒形であり、外側部材の側面及び内側部材の側面に開口が設けられ、内側部材には摘まみ部材が設けられ、当該摘まみ部材は外側部材の外側に突出していて外部から触れることができることを特徴とする請求項２に記載の防虫器。
【請求項４】
内側部材は外側部材の中にあって直線的に摺動可能であり、内側部材が外側部材の特定の位置にあるときは開口同士が離れて筐体の内部が密閉され、外側部材と内側部材とが他の特定の位置にあるときはは前記開口同士が合致して筐体の内外が連通することを特徴とする請求項１に記載の防虫器。
【請求項５】
筐体内には薬剤の拡散空間があることを特徴とする請求項１乃至４のいずれかに記載の防虫器。
【発明の詳細な説明】
【技術分野】
【０００１】
本発明は、蚊やブヨ等の人畜に有害な害虫を室内等から排除する防虫器に関するものである。
【背景技術】
【０００２】
蚊等の害虫を死滅または忌避する防虫器が知られている。防虫器は、防虫効果を有する薬剤を使用するものであり、従来は、ヒータ等によって薬剤を加熱し、蒸散した気体を室内に充満させることによって虫除けを行っていた。
【０００３】
これに対して近年、有効成分が常温で揮散する常温揮散性防虫薬剤が開発され、当該防虫薬剤を使用する防虫器が特許文献１に開示されている。
【０００４】
特許文献１に開示された防虫器は、掛け軸状であり、シート状部材と薬剤保持部材とを備えている。ここで薬剤保持部材は、網に薬剤を含浸させたものである。
特許文献１に開示された防虫器は、掛け軸の様に、薬剤保持部材を巻き込むことができ、輸送の際には、薬剤保持部材がシート状部材の内部に包まれて露出しない。
特許文献１に開示された防虫器を使用する際には、シート状部材を開き、薬剤保持部材を露出させる。
また特許文献２には、立体的構成を有する防虫器が開示されている。
【特許文献１】特開２００５−２９５８８３号公報
【特許文献２】特開２００５−２２４１８３号公報
【発明の開示】
【発明が解決しようとする課題】
【０００５】
従来技術の防虫器は、薬剤保持部材が直接外部に露出するから、空気との接触機会が多く、薬剤を効率的に蒸散させることができる。
しかしながら、従来技術の防虫器は、薬剤保持部材が常時外部の空気と接しているので使用者に薬剤の消耗が早いのではないかという不信感を与える。また不必要に薬剤を消費しているのではないかという不信感を与える。
【０００６】
即ち従来技術の防虫器では、一旦使用を開始すると常温揮散性防虫薬剤の有効成分が常時揮散している為、例えば寝室の様に特定の時間のみ人が居る部屋では有効成分が無駄に使用されてしまう。
そこで本発明者らは、有効成分による防虫が必要でない場合に、有効成分の揮散量を簡便に抑制できる様な常温揮散性防虫薬剤を含む防虫器について検討し、本発明に至った。
即ち本発明は、必要なときだけ薬剤を揮散させることができる防虫器を提供することを課題とするものである。
【課題を解決するための手段】
【０００７】
そして上記した課題を解決するための請求項１に記載の発明は、筐体と、筐体内部に配される防虫剤保持部材によって構成される防虫器において、前記筐体は、外側部材と内側部材を有し、前記外側部材と内側部材には開口が設けられ、外側部材と内側部材は相対移動可能であり、外側部材と内側部材とが特定の位置関係にあるときは前記開口同士が離れて筐体の内部が密閉され、外側部材と内側部材とが前記と異なる特定の位置関係にあるときは前記開口同士が合致して筐体の内外が連通することを特徴とする防虫器である。
【０００８】
防虫剤保持部材には防虫剤が保持されている。そして本発明の防虫器では、外側部材又は内側部材を相対移動させて、両者の開口を一致させ、筐体の内外を連通させて使用する。その結果、筐体内部に空気が流通し、内部の防虫剤保持部材が空気と接触して防虫剤の有効成分が気化し、さらに気化した薬剤が開口を通過して外部に流れ出して薬効を発揮する。
また使用を止める際には外側部材又は内側部材を移動させて開口を閉塞する。その結果、筐体の内部が密閉されるから、薬剤は消費されない。
【０００９】
請求項２に記載の発明は、外側部材と内側部材は相対回転可能であり、外側部材と内側部材とが一定の回転姿勢にあるときは前記開口同士が離れて筐体の内部が密閉され、外側部材と内側部材とが一定の回転姿勢にあるときは前記開口同士が合致して筐体の内外が連通することを特徴とする請求項１に記載の防虫器である。
【００１０】
本発明の防虫器では、外側部材又は内側部材を回転させて、両者の開口を一致させ、筐体の内外を連通させて使用する。その結果、筐体内部に空気が流通し、内部の防虫剤が空気と接触して気化し、さらに気化した薬剤が開口を通過して外部に流れ出して薬効を発揮する。
また使用を止める際には外側部材又は内側部材を回転させて開口を閉塞する。その結果、筐体の内部が密閉されるから、薬剤は消費されない。
【００１１】
請求項３に記載の発明は、外側部材と内側部材は共に円筒形であり、外側部材の側面及び内側部材の側面に開口が設けられ、内側部材には摘まみ部材が設けられ、当該摘まみ部材は外側部材の外側に突出していて外部から触れることができることを特徴とする請求項２に記載の防虫器である。
【００１２】
本発明の防虫器は、外側部材と内側部材は共に円筒形であるから、回動させる際に引っ掛かりが少ない。また本発明の防虫器は、内側部材に摘まみ部材が設けられ、さらに摘まみ部材は外側部材の外側に突出していて外部から触れることができるので、摘まみを操作して内側の部材を回動させることができる。
また本発明では、開口が、外側部材の側面及び内側部材の側面に設けられているので、大きな開口面積を確保することができる。
【００１３】
請求項４に記載の発明は、内側部材は外側部材の中にあって直線的に摺動可能であり、内側部材が外側部材の特定の位置にあるときは開口同士が離れて筐体の内部が密閉され、外側部材と内側部材とが他の特定の位置にあるときはは前記開口同士が合致して筐体の内外が連通することを特徴とする請求項１に記載の防虫器である。
【００１４】
本発明の防虫器は、内側部材を直線的に摺動させて開口同士を合致させ、或いは開口同士を離す構成である。
即ち内側部材を摺動させて、両者の開口を一致させ、筐体の内外を連通させて使用する。その結果、筐体内部に空気が流通し、内部の防虫剤が空気と接触して気化し、さらに気化した薬剤が開口を通過して外部に流れ出して薬効を発揮する。
また使用を止める際には外内側部材を摺動させて開口を閉塞する。その結果、筐体の内部が密閉されるから、薬剤は消費されない。
【００１５】
請求項５に記載の発明は、筐体内には薬剤の拡散空間があることを特徴とする請求項１乃至４のいずれかに記載の防虫器である。
【００１６】
本発明の防虫器では、筐体内には薬剤の拡散空間が設けられている。そのため不使用時に筐体内が密閉状態であるとき、内部の薬剤有効成分が気化して拡散空間内の薬剤濃度が上昇する。そのため不使用状態の期間に、筐体内に高濃度の薬剤ガスが溜まる。
そして防虫器を使用する際に開口同士を連通させて筐体の内外を連通させると、内部に溜まっていた高濃度の薬剤ガスが、防虫器を使用せんとする室内に放出される。そのため本発明の防虫器は、使用せんとする室内の薬剤濃度を早期に上昇させることができ、防虫効果の現れが早い。
【発明の効果】
【００１７】
本発明の防虫器は、外側部材又は内側部材を移動させて内外を連通する開口を閉塞することができ、薬剤保持部材が外部の空気に触れることを阻止することができるから、薬剤の無駄な消費を抑制することができる効果がある。
また本発明の防虫器は、簡便な操作で有効成分の揮散量を抑制することができ、当該操作において防虫剤保持部材が直接手指に触れることがない。
【発明を実施するための最良の形態】
【００１８】
以下さらに本発明の実施形態について説明する。図１は、本発明の実施形態の防虫器の斜視図であり、使用中の状態を示す。図２は、本発明の実施形態の防虫器の斜視図であり、使用していない状態を示す。図３は、図１の防虫器の内部を示す断面斜視図である。図４は、図１の防虫器の内部の分解斜視図である。
本実施形態の防虫器１は、円筒形の筐体２の内部に、防虫剤３が内蔵されたものである。また筐体２は、図４の様に外側部材５と内側部材６及び蓋部材７によって構成されている。
【００１９】
筐体２を構成する外側部材５は、樹脂を素材として射出成形等の公知の方法で作られたものであり、全体形状が円筒形をしている。
より詳細には、円形の底部１０（図３  参照）と、側面部１１を持つ。外側部材５の天面は開放されている。外側部材５の内部は溝部材１２を除いて空洞である。
即ち底部１０には、一対の溝部材１２が立設されている。溝部材１２は、断面形状が「凹」状をした長尺状物であり、底部１０に対して垂直に立てられた状態で形成されている。
二つの溝部材１２は、底部１０の中心に対して対称の位置にあり、「凹」部が向き合った姿勢で対向している。
二つの溝部材１２はいずれも底部１０の周端近傍に設けられているが、側面部１１との間には隙間がある。
【００２０】
外側部材５の側面部１１には、スリット状の開口１５が等間隔に複数設けられている。開口１５は、側面部１１の高さ方向の略全域に渡る長さを持つ。開口１５の幅「Ｌ」と、開口１５同士の間隔「ｌ」は略同一である。
また外側部材５の側面部１１であって、天部近傍には、４個の突起１７が設けられている。
【００２１】
内側部材６についても、樹脂を素材として射出成形等の公知の方法で作られたものであり、全体形状が円筒形をしている。
ただし前記した外側部材５が底部１０が有していて天面が無かったのに対し、内側部材６は、底部が開放されていて天面が閉塞している。
即ち内側部材６には、円形の天部２０（図４  参照）と、側面部２１が有る。内側部材６の底面は開放されている。内側部材６の内部は空洞である。
内側部材６には、摘まみ部２２が形成されている。摘まみ部２２の位置は、円形の天部２０であって、中心を外れた部位であり、摘まみ部２２は、小柱状の突起である。
内側部材６の側面部２１にも、スリット状の開口２３が等間隔に複数設けられている。開口２３は、側面部２１の高さ方向の略全域に渡る長さを持つ。開口２３の幅と、開口２３同士の間隔は略同一である。また内側部材６の開口２３の幅と、間隔及び長さ（高さ方向）は、いずれも前記した外側部材５の開口１５と実質的に同一である。
内側部材６の側面部２１の外径は、前記した外側部材５の側面部１１の内径よりも小さい。また内側部材６の側面部２１の内径は、外側部材５の溝部材１２の外接円直径よりも大きい。
【００２２】
蓋部材７は、円板状の本体部２６を有し、その周端部に小壁部２７が設けられたものである。蓋部材７の本体部２６には、円弧状の長孔２８が設けられている。また蓋部材７の中心には、フック部３０が設けられている。
【００２３】
本実施形態では、防虫剤３は、有効成分が常温で揮散する常温揮散性防虫薬剤であり、薬剤保持部材４１に含浸又は塗布された状態で筐体２内に内蔵されている。
薬剤保持部材４１は、薬剤含浸網４６とこれを保持する枠体５０によって構成されている。
本実施形態では、枠体５０は長方形であり、その内側に薬剤含浸網４６が設けられている。
薬剤含浸網４６には、防虫薬剤（防虫剤３）が含浸されている。ここで防虫薬剤とは、殺虫剤と忌避剤の両方を含む概念である。防虫薬剤の有効成分は、Ｄｏｎｏｖａｎ法による２５℃における蒸気圧が１・１０-6〜５・１０-3ｍｍＨｇの範囲であることが望ましい。ここで、Ｄｏｎｏｖａｎ法とは、New method for estimating vapor pressure by the
use of gas chromatography : Journal of Chromatography A. 749 (1996) 123-129 にてStephen F.Donovan 氏によって報告された方法である。
【００２４】
防虫薬剤（防虫剤３）の該有効成分としてはピレスロイド系化合物、並びにその他の殺虫性化合物及び忌避性化合物を挙げることができる。
【００２５】
ピレスロイド系化合物としては例えば、２，３，５，６−テトラフルオロベンジル（１Ｒ）−トランス−３−（２，２−ジクロロビニル）−２，２−ジメチルシクロプロパンカルボキシレート（一般名：トランスフルスリン）、２，３，５，６−テトラフルオロ−４−メトキシメチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル（１Ｒ）−トランス−３−（２−メチル−１−プロペニル）−２，２−ジメチルシクロプロパンカルボキシラート、２，３，５，６−テトラフルオロ−４−メトキシメチルベンジル２，２，３，３−テトラメチルシクロプロパンカルボキシラート、２，３，５，６−テトラフルオロ−４−メチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル３−（１−プロペニル）−２，２−ジメチルシクロプロパンカルボキシラート、２，３，５，６−テトラフルオロ−４−メチルベンジル３−（２−メチル−１−プロペニル）−２，２−ジメチルシクロプロパンカルボキシラート、２，３，５，６−テトラフルオロ−４−メチルベンジル３−（２−クロロ−２−フルオロビニル）−２，２−ジメチルシクロプロパンカルボキシラート、２，３，５，６−テトラフルオロ−４−メチルベンジル３−（１−プロペニル）−２，２−ジメチルシクロプロパンカルボキシラート、１−エチニル−２−メチル−２−ペンテニル３−（２−クロロ−２−フルオロビニル）−２，２−ジメチルシクロプロパンカルボキシラート、１−エチニル−２−メチル−２−ペンテニル（１Ｒ）−３−（２−メチル−１−プロペニル）−２，２−ジメチルシクロプロパンカルボキシラート（一般名：エンペントリン）、１−エチニル−２−メチル−２−ペンテニル３−（２−メチル−１−プロペニル）−２，２−ジメチルシクロプロパンカルボキシラート、１−エチニル−２−メチル−２−ペンテニル３−（２，２−ジクロロビニル）−２，２−ジメチルシクロプロパンカルボキシラートを挙げることができる。
【００２６】
その他の殺虫性化合物及び忌避性化合物としては、例えば２，２−ジクロロビニルジメチルホスフェート等の有機リン化合物、Ｎ，Ｎ−ジエチル−ｍ−トルアミド、カラン−３，４−ジオール等を挙げることができる。
【００２７】
防除できる害虫の例としては、具体的には各種の有害昆虫を挙げることができ、特に有害飛翔性害虫、例えばアカイエカ、ネッタイイエカ、チカイエカ、コダカアカイエカ等のイエカ類、ヒトスジシマカ、ネッタイシマカ、オオクロヤブカ等のヤブカ類、シナハマダラカ、コガタハマダラカ、ガンビアハマダラカ等のハマダラカ類、サシバエ類、ヌカカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、ブユ類、アブ類等の双翅目害虫、スズメバチ類、アリガタバチ類、カブラハバチ等のハバチ類等の膜翅目害虫が挙げられる。
【００２８】
なお、薬剤含浸網４６には、防虫薬剤と共に、常温で揮散性を有する有効成分を含有する芳香剤を保持させてもよい。芳香剤の含有量は任意であるが、芳香剤が有効に揮散し得る期間を防虫薬剤の有効成分が有効に揮散し得る期間に合わせると、芳香剤の芳香の強さを指標として防虫薬剤の有効成分の残量を確認することができる。
【００２９】
なお本発明の薬剤保持部材は、上記した実施形態に限定されるものではなく、薬剤含浸網４６に代わってハニカム構造や、線状、格子状構造を採用してもよい。さらに薬剤保持部材は、液溜部と芯を有して液溜部に溜められた薬液を毛細管現象によって吸い上げて空気と触れさせる構成や、薬剤を固形化してその表面から薬剤を昇華させるものであってもよい。
【００３０】
次に、本実施形態の防虫器１を構成する各部材の組み合わせ関係について説明する。
前記した薬剤保持部材４１は、外側部材５の溝部材１２に嵌合された状態で、外側部材５に保持されている。即ち一対の溝部材１２に薬剤保持部材４１の枠体５０の両辺が保持されている。
【００３１】
内側部材６は、外側部材５の内側に挿入されている。即ち内側部材６は、外側部材５に対して入れ子状態となっており、内側部材６の側面部２１は、外側部材５の側面部１１の内側に挿入されている。より詳細には、内側部材６の側面部２１の外面が外側部材５の側面部１１の内面と接している。内側部材６の側面部２１と外側部材５の溝部材１２との間は接していない。したがって内側部材６は、外側部材５の中で、外側部材５と同心的に回転することができる。
【００３２】
蓋部材７は、外側部材５の天部及び側面の一部を覆う様に外側部材５に取り付けられている。ここで蓋部材７の小壁部２７の内面側に、外側部材５の側面に設けられた突起１７が係合し、蓋部材７は容易に外れない様に外側部材５に固定されている。
従って蓋部材７と外側部材５で天面、側面、底面が覆われた空間が形成され、前記した内側部材６はこの空間の中に保持されている。
また内側部材６の天部２０に設けられた摘まみ部２２は、蓋部材７の長孔２８に挿通され、先端部が蓋部材７から突出している。
【００３３】
この様に防虫器１は、外側部材５によって底が覆われ、外側部材５と内側部材６によって周面が覆われ、蓋部材７によって天面が覆われた筐体２を有する。そして筐体２の内部の空隙部であってその中央に、防虫薬剤（防虫剤３）が含浸された一枚の薄い薬剤含浸網４６が帆の様に立てられた状態となっている。そのため筐体２の内部に存在する部材（薬剤含浸網４６及び溝部材１２）が閉める体積割合は、極めて小さく、筐体２の内部には、大きな空間３５がある。そしてこの空間は、薬剤の拡散空間３５として機能する。
また筐体２を構成する外側部材５と内側部材６は、別個の部材であり、且つ両者はいずれも円筒形であるから、両者は相対回転を許す。即ち摘まみ部２２を操作することにより、外側部材５内で、内側部材６を回動することができる。
【００３４】
そして外側部材５と内側部材６の側面部１１，２１は、同一形状であって同一配置の開口１５，２３が設けられているから、一定の回転姿勢においては、開口１５，２３同士が一致して連通し、筐体２の内外を連通する共通開口５３が形成される。
一方、他の一定の回転姿勢においては、開口１５，２３同士が完全にずれ、筐体２の内外が密閉される。即ち一方の開口が他方の開口同士の間に位置し、一方の開口が他方の壁で封鎖される状態となる。そのため外側部材５と内側部材６の側面部１１，２１の開口１５，２３は、互いに封鎖され、筐体２内が密閉状態となる。
【００３５】
次に本実施形態の防虫器１の機能について説明する。
本実施形態の防虫器１を輸送したり、保管する場合、即ち使用しない場合には、内側部材６のスリット状の開口２３を外側部材５のスリット状の開口１５に対してずらし、筐体２を密閉された状態とする。
ここで本実施形態では、筐体２の内部に薬剤の拡散空間３５があるから、揮発した薬剤のガスがこの内部空間３５に溜まる。拡散空間３５内の薬剤濃度は、時間の経過と共に上昇し、ついては飽和状態となる。
【００３６】
そして室内等で防虫器１を使用する場合には、摘まみ部２２を操作して内側部材６を回転させ、外側部材５と内側部材６の開口１５，２３を合致させて筐体２の内外を連通する共通開口５３を形成させる。
その結果、拡散空間３５に溜まった高濃度の薬剤ガスが外部に放出される。さらに筐体２の内部が通風可能な状態となり、新たに導入された空気が薬剤保持部材４１と接し、薬剤保持部材４１に含浸された防虫薬剤（防虫剤３）が気化して共通開口５３から設置室内等に流れる。
この様に、共通開口５３を開いた際に、高濃度の薬剤ガスが流れ、さらに新たに防虫薬剤（防虫剤３）が気化して設置室内等に流れるので、室内は短時間の内に薬剤の有効濃度に達する。
また本実施形態では、防虫器１の全体形状が円柱形であり、共通開口５３は周面に均衡に配されているから、室内の風向きに関係なく筐体２内に空気が導入され、防虫薬剤（防虫剤３）の気化が円滑に進む。
【００３７】
共通開口５３を開いた後は、室内の所定の板に防虫器１を設置し、あるいはフック部３０を利用してつり下げる。
【００３８】
また使用を停止する時には、再度摘まみ部材２２を操作して共通開口５３を閉じる。
防虫器１を使用しない場合は、共通開口５３を閉じた状態のままで置くこととなるが、共通開口５３を開くには、摘まみ部材２２を円弧状に動かして内側部材６を回転させなければならないから、犬や猫等のペットでは不可能であり、幼児であっても困難である。そのため共通開口５３を開くことは困難であり、安全性が高い。
【００３９】
また使用状態においても、防虫薬剤（防虫剤３）は、筐体２の奥にあり、且つ共通開口５３は狭いので、防虫薬剤に直接手指が触れることはない。
【００４０】
以上説明した実施形態では、外側部材と内側部材が共に円筒形であるものを開示したが、図５の様な円板状の防虫器６０であってもよい。即ち背の低い円筒形の外側部材６１に円板状の内側部材６２を内蔵し、外側部材６１の天面と、円板状の内側部材６２とに同一形状の開口６５を設ける。また内側部材６２の一部を外側部材から露出させて摘まみ部６６とし、摘まみ部６６を回転させることによって円板状の内側部材６２を回動させる。
【００４１】
さらに図６の様に示した防虫器７０の様に円錐台形状の筐体７１を採用することもできる。図６において、７２は摘まみ部である。
【００４２】
上記した各実施形態では、使用時に、外側部材の開口と、内側部材とを完全に一致させたが、重なり部分の面積を調節して共通開口５３の面積を調節することともできる。その結果、設置する部屋の大きさに合わせて、蒸散量を調節することもできる。
また上記した各実施形態例は、使用の際の外形形状と、不使用時の外形形状がほとんど変化しないという特徴もある。
【００４３】
また上記した実施形態の防虫器防虫器１，６０，７０は、いずれも外側部材と内側部材を相対回転させて共通開口５３を開閉するものであるが、外側部材と内側部材を直線的に相対移動させて共通開口５３を開閉させることも可能である。
【００４４】
図７、図８は、外側部材と内側部材を直線的に相対移動させて共通開口を開閉させる構成を示す。即ち図７は、本発明の第四実施形態の防虫器の斜視図であり、図８、使用状態における図７の防虫器の断面図である。
図７、図８に示す防虫器７５は、薄型直方体の筐体７６の内部に、薬剤保持部材７８が内蔵されたものである。また筐体７６は、樹脂で作られたものであり、図８の様に外側部材７７と内側部材８０によって構成されている。
【００４５】
外側部材７７は枠状であり、底部８１と、正面部８２、裏面部及び左右の側面部８３，８４を持つ。外側部材７７の天面は開放されている。外側部材７７の内部は空洞である。即ち外側部材７７は５面が囲まれた枠体である。
【００４６】
外側部材７７の正面部８２及び裏面部には複数のスリット状の開口８５が外側部材７７の外形線に対して平行に設けられている。また外側部材７７の左右の側面部８３，８４には、正方形状の開口８７が等間隔に複数設けられている。
【００４７】
内側部材８０は、本体部８９とフック９０によって構成されている。内側部材８０の本体部８９は、６面が覆われた枠体であり、前記した外側部材５の開口８５，８７と同一の位置に同一の大きさ及び形状の開口が設けられている。
内側部材８０の天面にフック９０が設けられている。
【００４８】
本実施形態の防虫器７５では、薬剤保持部材７８は、内側部材８０の中に挿入されている。そして薬剤保持部材７８が内蔵された状態の内側部材８０が、外側部材７７の中に摺動可能に内蔵されている。
即ち図７の様に、内側部材８０の本体部８９が外側部材７７内に完全に収納された状態にすることができ、この状態から図８の様に内側部材８０を摺動させて外側部材７７に対して相対移動させ、内側部材８０の一部が外側部材７７から突出する状態に変化させることができる。
【００４９】
そして外側部材７７と内側部材８０の本体部８９は、同一形状であって同一配置の開口８５，８７が設けられているから、図８の様に内側部材８０の本体部８９が外側部材７７から突出している場合は、外側部材７７と内側部材８０の開口同士が一致して連通し、筐体７６の内外を連通する共通開口９１が形成される。
防虫器７５を使用する際には、図８の様に内側部材８０の一部を外側部材７７から引出し、筐体７６の内外を連通させて内部の薬剤保持部材７８を露出させる。
【００５０】
一方、図７の様に内側部材８０の本体部８９が外側部材７７内に完全に収納されている場合は、外側部材７７と内側部材８０の開口がずれ、筐体７６の内外が密閉される。
図７は、防虫器７５を使用しない場合の形態であり、筐体７６の内外が密閉されるので薬剤保持部材７８は外気に触れず、薬剤の消費が阻止される。
【００５１】
図７、図８に示した実施形態では、外側部材７７及び内側部材８０にスリット状の開口８５を設け、この開口８５を外側部材７７の外形線に対して平行に配置したが、開口８５の形状等は任意であり、例えば図９に示す防虫器９２の様に斜めに配列してもよい。
防虫器９２の構造は、図７及び図８の防虫器７５と同一であるから、同一の部材に同一の番号を付して詳細な説明を省略する
【図面の簡単な説明】
【００５２】
【図１】本発明の実施形態の防虫器の斜視図であり、使用中の状態を示す。
【図２】本発明の実施形態の防虫器の斜視図であり、使用していない状態を示す。
【図３】図１の防虫器の内部を示す断面斜視図である。
【図４】図１の防虫器の内部の分解斜視図である。
【図５】本発明の第二実施形態の防虫器の斜視図である。
【図６】本発明の第三実施形態の防虫器の斜視図である。
【図７】本発明の第四実施形態の防虫器の斜視図である。
【図８】使用状態における図７の防虫器の斜視図である。
【図９】本発明の第五実施形態の防虫器の斜視図である。
【符号の説明】
【００５３】
１，６０，７０，７５  防虫器
２，７６  筐体
３  防虫剤
５，７７  外側部材
６  ８０  内側部材
７  蓋部材
１２  溝部材
１５  開口
２２  摘まみ部
２３  開口
４１，７８  薬剤保持部材
５３，９１  共通開口
６６  摘まみ部
７２  摘まみ部
８５  開口
８７  開口
【図１】
2010022206.tif 000003
【図２】
2010022206.tif 000004
【図３】
2010022206.tif 000005
【図４】
2010022206.tif 000006
【図５】
2010022206.tif 000007
【図６】
2010022206.tif 000008
【図７】
2010022206.tif 000009
【図８】
2010022206.tif 000010
【図９】
2010022206.tif 000011